(57)【特許請求の範囲】
【請求項１】
上面が開放し花もしくは細かく裁断された花を収納する椀状の容器と、この容器の内底部に回転自在に配設され軸方向から空気を吸い込み径方向外方へ送り出すことにより前記容器内の花もしくは裁断された花を攪拌するファン本体と、このファン本体を回転させる駆動モータと、前記容器の上面開口部を覆う蓋体とを備えたことを特徴とする花粉収集装置。
【請求項２】
請求項１記載の花粉収集装置において、容器の開口端部と蓋体との間に花粉取出口を設け、この花粉取出口に連通する口を有する花粉収集容器を前記容器の外周に設けたことを特徴とする花粉収集装置。
【請求項３】
開口部を上に向けて設置された花粉収集容器と、この花粉収集容器上に開口部を下に向けて設置された椀状の容器と、花粉が通過し得る大きさの網目を有し前記両容器間に介在された金網と、前記椀状の容器内に回転自在に配設され軸方向から空気を吸い込み径方向外方へ送り出すことにより金網上に載置された花もしくは裁断された花を攪拌するファン本体と、このファン本体を回転させる駆動モータとを備えたことを特徴とする花粉収集装置。
【発明の詳細な説明】
【０００１】
【発明の属する技術分野】
本発明は、花粉を効率的に分離、収集する花粉収集装置に関する。
【０００２】
【従来の技術】
従来、梨、リンゴ等の果実花に対しては、人工受粉（交配）が行われている。この人工受粉は、雄しべの中にできる雄性生殖器官である花粉を予め採取し、この花粉を毛棒によって雌性生殖器官である雌しべに付けることにより行われる。受粉に成功すると、種の数が増えそれだけ果実が大きいため、一つ一つの花にまんべんなく丁寧に交配する必要がある。また、同一種や同一樹木の花粉では結実しないため、品種や樹木の異なる花粉で交配する必要がある。さらに、人工受粉は一回では失敗することが多く、複数回行う必要がある。
【０００３】
このような花粉の採取を従来は、以下のような手順で行なっていた。
▲１▼他品種または他樹木の蕾または花（以下、これらを総称して花という）を集めて自然乾燥する。
▲２▼花を細かく裁断して雄しべのみとする。
▲３▼篩により篩ってから傾斜したさらしの上を滑らせて雄しべの柄と葯を選別する。
▲４▼開葯器に入れて温め葯を開かせて花粉を取り出す。
【０００４】
【発明が解決しようとする課題】
このような花粉の採取作業は、手作業によって行なっていたため、果物栽培農家にとって大変な時間と労力を必要とする。また、花の密や湿度によっては葯と花粉の粘着性が高いため、花粉を採取する際に、葯から花粉を十分に篩い落とすことができないという問題があった。
【０００５】
本発明は上記した従来の問題点を解決するためになされたもので、その目的とするところは、花粉を効率的に分離、収集することができるようにした花粉収集装置を提供することにある。
【０００６】
【課題を解決するための手段】
上記目的を達成するため本発明は、上面が開放し花もしくは細かく裁断された花を収納する椀状の容器と、この容器の内底部に回転自在に配設され軸方向から空気を吸い込み径方向外方へ送り出すことにより前記容器内の花もしくは裁断された花を攪拌するファン本体と、このファン本体を回転させる駆動モータと、前記容器の上面開口部を覆う蓋体とを備えたことを特徴とする。
また、本発明は、容器の開口端部と蓋体との間に花粉取出口を設け、この花粉取出口に連通する口を有する花粉収集容器を前記容器の外周に設けたことを特徴とする。
さらに、本発明は、開口部を上に向けて設置された花粉収集容器と、この花粉収集容器上に開口部を下に向けて設置された椀状の容器と、花粉が通過し得る大きさの網目を有し前記両容器間に介在された金網と、前記椀状の容器内に回転自在に配設され軸方向から空気を吸い込み径方向外方へ送り出すことにより金網上に載置された花もしくは裁断された花を攪拌するファン本体と、このファン本体を回転させる駆動モータとを備えたことを特徴とする。
【０００７】
本発明において、駆動モータによってファン本体を回転させると、ファン本体が軸方向から空気を吸い込み径方向外方へ送り出し、空気流を形成する。この空気流は螺旋状の空気流となり、容器内の花を攪拌するとともに乾燥させる。このため、花粉が葯から分離する。分離した花粉は十分に軽いために螺旋状の空気流に乗って容器の内面に沿って舞い上がり、容器の内面上端部および蓋体の裏面に付着する。容器の開口部と蓋体との間に花粉取出口を設けておくと、花粉はこの花粉取出口から容器の外部に放出され、容器の外部に設けた花粉収集容器に収集される。
空気流によって金網上の花を攪拌するとともに乾燥させると、花粉は葯から分離し、金網の網目から花粉収集容器内に落下することにより、収集される。
【０００８】
【発明の実施の形態】
以下、本発明を図面に示す実施の形態に基づいて詳細に説明する。
図１は本発明に係る花粉収集装置の第１の実施の形態を示す断面図、図２はファン本体の一部を破断して示す平面図である。これらの図において、１は上向きに設置された駆動モータ、２は駆動モータ１上に取付フランジ３を介して固定された容器、４は容器２の内部下方に配置され前記駆動モータ１によって回転するファン本体、５は容器２の上面開口部を覆うガラス等の蓋体で、これらによって花粉収集装置６を構成している。
【０００９】
容器２は、ガラス、金属、合成樹脂等によって平らな底をもつ椀状に形成されることにより、放物線状の凸曲面からなる周壁部２ａと、平板状の底面部２ｂとを一体に有し、底面部２ｂが前記取付フランジ３上に溶接によって固定されている。
【００１０】
ファン本体４は、上板１１Ａと下板１１Ｂとの間に配設された複数本のパイプ１２と、これらのパイプ１２間に介在されたスペーサ１９等で概ね構成されている。上板１１Ａと下板１１Ｂは、同一の大きさの円板状に形成され、複数本の止めねじ１３によって一体的に結合されることにより、前記パイプ１２を挾持し、パイプ１２の脱落を防止している。上板１１Ａの中央部には適宜な穴径を有する空気吸込孔１４が形成されている。下板１１Ｂは、前記駆動モータ１の出力軸１５に固定された筒体１６に嵌合され、かつかしめ固定されている。この下板１１Ｂの表面には２本一組で１つのパイプ収納部１８を形成する８本の仕切板１７が周方向に所要の間隔をおいて放射状に配列されている。これらの仕切板１７の内端は、前記上板１１Ａの空気吸込孔１４付近まで延在し、外端は下板１１Ｂの外周縁と略一致している。スペーサ１９は扇型に形成され、両側面が仕切板１７の側面に密接し、径方向の長さが仕切板１７の長さと略等しい。このようなファン本体４は、空気吸込孔１４から空気を吸い込みパイプ１２の内部を通って径方向外方に送り出すことにより前記容器２内に収納される花２２を攪拌する。
【００１１】
パイプ１２は、合成樹脂、金属等によって形成され、適宜な外径と内径を有し、両端が開放している。また、パイプ１２は、前記仕切板１７によって形成された４つのパイプ収納部１８内に放射状に、かつファン本体４の軸線方向に４段に重ねて収納配置されている。パイプ１２は、前記仕切板１７と略同一の長さで、内端が前記上板１１Ａの空気吸込孔１４の孔壁と略一致し、外端が下板１１Ｂの外周と略一致している。
【００１２】
図３は上記した花粉収集装置６によって花粉が分離、収集される果実花を示す図である。同図において、果実花２２は、中心に位置する雌しべ２３と、雌しべ２３の周囲に位置し先端に花粉２４を生育する葯２５ａを有する複数の雄しべ２５と、花弁２６とからなる。このような果実花２２は、果実木から採られた後、細かく裁断されて前記容器２内に収納され、花粉２４が葯２５ａから分離収集される。すなわち、細かく裁断された花２２を容器２内に収納して蓋体５で覆い、駆動モータ１の駆動によってファン本体４を回転させると、ファン本体４内の空気およびパイプ１２内の空気は、遠心力によってその接線方向に放出され、ファン本体４およびパイプ１２の内部が負圧になる。したがって、容器２内の空気は空気流３０となって上板１０Ａの空気吸込孔１４からファン本体４の内部に吸い込まれ、パイプ１２を通ってファン本体４の外側へ排出され、花２２を攪拌する。また、この空気流は花２２を乾燥させ、葯２５ａを開かせる。このため、葯２５ａと花粉２４の粘着力が低下し、花粉２４が葯２５ａから分離する。ファン本体４によって形成される空気流３０は、容器２の内面に沿って回転しながら上昇する螺旋状の空気流を形成し、花粉２４を舞い上げる。この時、蓋体５は空気流３０によって僅かではあるが押し上げられるため、容器２の開口端面との間に僅かな隙間が生じ、この隙間から空気流３０の一部が外部へ逃げる。このため、空気流３０によって舞い上げられた花粉２４は、前記隙間に向かって進み、この隙間を塞ぐように容器２の開口部と蓋体５との当接部の内側に付着して溜まる。一方、葯２５ａや裁断された花弁２６などは、花粉２４より十分重いため、容器２の内底部において攪拌されるだけで、舞い上がることはない。したがって、花粉２４を確実に分離することができる。
花粉２４を分離した後、蓋体５を開き、容器２の内側面開口部と蓋体５の下面に付着している花粉２４を採取する。
また、図１に示すように容器２の上端開口部に花粉取出口９を設けておき、容器２の外周面に花粉収集容器１０を取り付けておくと、分離した花粉２４を前記花粉収集容器１０に収集することができる。
そして、このようにして収集された花粉２４は、果実花の人工受粉のために使用される。
【００１３】
図４は本発明の第２の実施の形態を示す断面図である。この実施の形態においては、上面が開放する花粉収集容器１０上に金網３２を介して容器２を下向きに載置し、金網３２の上に細かく裁断された花２２を置き、ファン本体４の回転によって螺旋状の空気流３０を下向きに発生させて花２２を攪拌するとともに乾燥させるようにしている。金網３２は、微細なステンレス線等によって製作され、口径が０．０４７ｍｍ程度とされる。この程度の口径を有する金網の製作は容易であり、また花粉２４を十分に通過させ得る。
その他の構成は上記した実施の形態と同一である。
なお、３３は金網３２の外周を保持する保持枠である。
【００１４】
図５（ａ）、（ｂ）はファン本体の他の実施の形態を示す斜視図および一部の拡大断面図である。この実施の形態においては、本実施の形態においては、５枚の円板４０ａ〜４０ｅを同軸に積層してファン本体４１を構成している。ファン本体４１は、（ａ）図において上面中央部に設けられた空気吸込孔４３と、放射状に形成され内側開口端が前記空気吸込孔４３にそれぞれ連通し外側開口端がファン本体４１の外周に開口する多数の通路４４を備えている。４枚の円板４０ａ〜４０ｄは、中央に同一穴径の中心孔４５を有し、これらの中心孔４５によって前記空気吸込孔４３を形成している。また、４枚の円板４０ａ〜４０ｄの接合面には、前記通路４４を形成する半円形の溝４６が放射状に多数形成されている。残りの円板４０ｅは溝を有さず、内側面中央に駆動モータの出力軸に嵌合するボス部４７が一体に突設されている。
【００１５】
このような構造からなるファン本体４１においても、通路４４が上記した実施の形態におけるファン本体４のパイプ１２と同様な機能を果たすため、空気を軸線方向から吸い込み、径方向外方に送り出すことができる。すなわち、ファン本体４１を回転させると、通路４４内の空気が遠心力によって接線方向に放出されるため、空気吸込孔４３の内部が負圧になり、外部の空気が空気吸込孔４３に吸い込まれ、通路４４を通って接線方向に放出される。
【００１６】
【発明の効果】
以上説明したように本発明に係る花粉収集装置によれば、上面が開放し花もしくは細かく裁断された花を収納する椀状の容器と、この容器の内底部に回転自在に配設され軸方向から空気を吸い込み径方向外方へ送り出すことにより前記容器内の花もしくは裁断された花を攪拌するファン本体と、このファン本体を回転させる駆動モータと、前記容器の上面開口部を覆う蓋体とで構成したので、ファン本体を回転させると、容器内に螺旋状に回転しながら上昇する空気流が発生し、容器内の花を攪拌する。したがって、葯と花粉を自動的に分離することができ、また、花粉は葯より十分軽いため上昇して容器の開口部付近に溜まるので、花粉のみを収集することができる。
また、本発明においては、容器の開口端部と蓋体との間に花粉取出口を設け、この花粉取出口に連通する口を有する花粉収集容器を前記容器の外周に設けたので、分離した花粉を花粉収集容器内に収集することができる。
【００１７】
また、本発明は、開口部を上に向けて設置された花粉収集容器と、この花粉収集容器上に開口部を下に向けて設置された椀状の容器と、花粉が通過し得る大きさの網目を有し前記両容器間に介在された金網と、前記椀状の容器内に回転自在に配設され軸方向から空気を吸い込み径方向外方へ送り出すことにより金網上に載置された花もしくは裁断された花を攪拌するファン本体と、このファン本体を回転させる駆動モータとで構成したので、ファン本体を回転させると、容器内に螺旋状に回転しながら下降する空気流が発生し、金網上の花を攪拌する。したがって、葯と花粉を自動的に分離することができ、また、花粉は葯より十分小さいので、金網を通った花粉を花粉収集容器内に収集することができる。
【図面の簡単な説明】
【図１】  本発明に係る花粉収集装置の第１の実施の形態を示す断面図である。
【図２】  ファン本体の一部を破断して示す平面図である。
【図３】  果実花を示す図である。
【図４】  本発明第２の実施の形態を示す断面図である。
【図５】  （ａ）、（ｂ）はファン本体の他の実施の形態を示す斜視図である。
【符号の説明】
１…駆動モータ、２…容器、３…出力軸、４…ファン本体、５…蓋体、６…花粉収集装置、９…花粉取出口、１０…花粉収集容器、１１Ａ…上板、１１Ｂ…下板、１２…パイプ、２２…果実花、２３…雌しべ、２４…花粉、２５…雄しべ、２５ａ…葯、３２…金網、４１…ファン本体。
【図１】
0003695804.tif 000002
【図２】
0003695804.tif 000003
【図３】
0003695804.tif 000004
【図４】
0003695804.tif 000005
【図５】
0003695804.tif 000006